(57)【要約】【課題】意図されないコンテンツが出力されることを防ぐ。【解決手段】制御部２０３は、再生装置２００の状態が、処理済コンテンツの少なくとも一部を表示装置１００へ送信可能な状態である送信可能状態である場合、表示装置１００の動作状態を第１状態に設定するための切替え指示を表示装置１００へ送信する。制御部１０５は、切替え指示に応じて設定指示を入力ソース選択部１０８へ与える。入力ソース選択部１０８は、設定指示に応じて表示装置１００の動作状態を、処理済コンテンツを出力可能な第１状態に設定する。再生装置２００の送信部２０５は、表示装置１００の動作状態が第１状態に設定された後、処理済コンテンツを表示装置１００へ送信する。【選択図】図１
2010288094.tif 000002
【特許請求の範囲】
【請求項１】
コンテンツに対し処理を行う再生装置と、前記再生装置により処理されたコンテンツである処理済コンテンツを出力可能な第１状態および前記処理済コンテンツの出力が不可能な第２状態のいずれかに自装置の動作状態を切替えることが可能なコンテンツ出力装置とを含む再生システムであって、
前記再生装置は、
コンテンツに対し処理を行う処理部と、
前記再生装置の状態が、前記処理部に処理された前記処理済コンテンツの少なくとも一部を前記コンテンツ出力装置へ送信可能な状態である送信可能状態であるか否かを判定する判定部と、
前記再生装置の状態が前記送信可能状態であると前記判定部により判定された場合、前記コンテンツ出力装置の動作状態を前記第１状態に設定するための切替え指示を前記コンテンツ出力装置へ送信する第１制御部とを備え、
前記コンテンツ出力装置は、
外部からの指示に応じた処理を行う第２制御部と、
前記コンテンツ出力装置の動作状態を、前記第１状態および前記第２状態のいずれかに設定する切替え部とを備え、
前記第２制御部は、前記切替え指示に応じて前記コンテンツ出力装置の動作状態を前記第１状態に設定させる指示である設定指示を前記切替え部へ与え、
前記切替え部は、前記設定指示に応じて前記コンテンツ出力装置の動作状態を前記第１状態に設定し、
前記再生装置は、さらに、
前記コンテンツ出力装置の動作状態が前記第１状態に設定された後、前記処理済コンテンツを前記コンテンツ出力装置へ送信する送信部を備える、
再生システム。
【請求項２】
前記コンテンツ出力装置の前記第２制御部は、前記コンテンツ出力装置の動作状態が前記第１状態に設定された場合、前記コンテンツ出力装置の動作状態の設定の切替えが完了した旨を示す切替え完了情報を、前記再生装置へ送信し、
前記再生装置の前記送信部は、前記再生装置の状態が前記送信可能状態であり、かつ、前記再生装置が前記コンテンツ出力装置から前記切替え完了情報を受信した場合、前記処理済コンテンツを前記コンテンツ出力装置へ送信する、
請求項１に記載の再生システム。
【請求項３】
前記処理済コンテンツは、音声データである、
請求項１または２に記載の再生システム。
【請求項４】
前記処理済コンテンツは、映像データおよび音声データの両方または一方を含むデータである、
請求項１または２に記載の再生システム。
【請求項５】
前記再生装置は、さらに、
記録媒体に記録されたコンテンツを読み出す読出し部を備え、
前記再生装置の前記第１制御部は、さらに、前記読出し部によるコンテンツの読み出し状態を示す読出し状態情報を、前記コンテンツ出力装置へ送信し、
前記コンテンツ出力装置は、さらに、
前記読出し状態情報の受信に応じて、前記読出し状態情報が示す前記再生装置におけるコンテンツの読出し状態を通知するための処理を行う通知部を備える、
請求項１〜４のいずれかに記載の再生システム。
【請求項６】
コンテンツに対し処理を行う再生装置と、前記再生装置により処理されたコンテンツである処理済コンテンツを出力可能な第１状態および前記処理済コンテンツの出力が不可能な第２状態のいずれかに自装置の動作状態を切替えることが可能なコンテンツ出力装置とを含む再生システムであって、
前記再生装置は、
コンテンツに対し処理を行う処理部と、
コンテンツの種類に基づいて、所定のタイミングから、前記再生装置の状態が前記処理部に処理された前記処理済コンテンツの少なくとも一部を前記コンテンツ出力装置へ送信可能な状態である送信可能状態になるまでに必要な時間である切替え必要時間を決定する第１制御部とを備え、
前記第１制御部は、さらに、前記コンテンツ出力装置が指示を受信してから少なくとも前記切替え必要時間の経過後に前記コンテンツ出力装置の動作状態を前記第１状態に設定するための切替え指示を前記コンテンツ出力装置へ送信し、
前記コンテンツ出力装置は、
外部からの指示に応じた処理を行う第２制御部と、
前記コンテンツ出力装置の動作状態を、前記第１状態および前記第２状態のいずれかに設定する切替え部とを備え、
前記第２制御部は、前記切替え指示に応じて前記切替え指示を受信してから少なくとも前記切替え必要時間が経過した後、前記コンテンツ出力装置の動作状態を前記第１状態に設定させる指示である設定指示を前記切替え部へ与え、
前記切替え部は、前記設定指示に応じて前記コンテンツ出力装置の動作状態を前記第１状態に設定し、
前記再生装置は、さらに、
前記コンテンツ出力装置の動作状態が前記第１状態に設定された後、前記処理済コンテンツを前記コンテンツ出力装置へ送信する送信部を備える、
再生システム。
【請求項７】
前記コンテンツ出力装置の前記第２制御部は、前記コンテンツ出力装置の動作状態が前記第１状態に設定された場合、前記コンテンツ出力装置の動作状態の設定の切替えが完了した旨を示す切替え完了情報を、前記再生装置へ送信し、
前記再生装置の前記送信部は、前記再生装置の状態が前記送信可能状態であり、かつ、前記再生装置が前記コンテンツ出力装置から前記切替え完了情報を受信した場合、前記処理済コンテンツを前記コンテンツ出力装置へ送信する、
請求項６に記載の再生システム。
【請求項８】
前記処理済コンテンツは、映像データおよび音声データの両方または一方を含むデータである、
請求項６または７に記載の再生システム。
【請求項９】
前記再生装置と前記コンテンツ出力装置とは、ＨＤＭＩ（High Definition Multimedia Interface）規格に準拠したケーブルを使用してデータ通信を行い、
前記第１制御部は、前記データ通信において、ＣＥＣ（Consumer Electronics Control）規格に準拠したコマンドを利用して、前記切替え指示を前記コンテンツ出力装置へ送信する、
請求項１〜８のいずれかに記載の再生システム。
【請求項１０】
コンテンツに対し処理を行う再生装置であって、前記再生装置からの指示に従って、前記再生装置により処理されたコンテンツである処理済コンテンツを出力可能な第１状態および前記処理済コンテンツの出力が不可能な第２状態のいずれかに自装置の動作状態を切替えるコンテンツ出力装置とデータ通信する再生装置であって、
前記再生装置は、
コンテンツに対し処理を行う処理部と、
前記再生装置の状態が、前記処理部に処理された前記処理済コンテンツの少なくとも一部を前記コンテンツ出力装置へ送信可能な状態である送信可能状態であるか否かを判定する判定部と、
前記再生装置の状態が前記送信可能状態であると前記判定部により判定された場合、前記コンテンツ出力装置の動作状態を前記第１状態に設定するための切替え指示を前記コンテンツ出力装置へ送信する制御部と、
前記コンテンツ出力装置の動作状態が前記第１状態に設定された後、前記処理済コンテンツを前記コンテンツ出力装置へ送信する送信部を備える、
再生装置。
【請求項１１】
前記処理済コンテンツは、音声データである、
請求項１０に記載の再生装置。
【請求項１２】
前記再生装置は、さらに、
記録媒体に記録されたコンテンツを読み出す読出し部を備え、
前記再生装置の前記制御部は、さらに、前記読出し部によるコンテンツの読み出し状態を示す読出し状態情報を、前記コンテンツ出力装置へ送信する、
請求項１０または１１に記載の再生装置。
【請求項１３】
コンテンツに対し処理を行う再生装置であって、前記再生装置からの指示に従って、前記再生装置により処理されたコンテンツである処理済コンテンツを出力可能な第１状態および前記処理済コンテンツの出力が不可能な第２状態のいずれかに自装置の動作状態を切替えるコンテンツ出力装置とデータ通信する再生装置であって、
前記再生装置は、
コンテンツに対し処理を行う処理部と、
コンテンツの種類に基づいて、所定のタイミングから、前記再生装置の状態が前記処理部に処理された前記処理済コンテンツの少なくとも一部を前記コンテンツ出力装置へ送信可能な状態である送信可能状態になるまでに必要な時間である切替え必要時間を決定する制御部とを備え、
前記制御部は、さらに、前記コンテンツ出力装置が指示を受信してから少なくとも前記切替え必要時間の経過後に前記コンテンツ出力装置の動作状態を前記第１状態に設定するための切替え指示を前記コンテンツ出力装置へ送信し、
前記再生装置は、さらに、
前記コンテンツ出力装置の動作状態が前記第１状態に設定された後、前記処理済コンテンツを前記コンテンツ出力装置へ送信する送信部を備える、
再生装置。
【請求項１４】
コンテンツに対し処理を行う再生装置と、前記再生装置により処理されたコンテンツである処理済コンテンツを出力可能な第１状態および前記処理済コンテンツの出力が不可能な第２状態のいずれかに自装置の動作状態を切替えることが可能なコンテンツ出力装置とを含む再生システムにおいて実行される再生方法であって、
前記再生方法は、
前記再生装置が、前記再生装置の状態が、前記再生装置に処理された前記処理済コンテンツの少なくとも一部を前記コンテンツ出力装置へ送信可能な状態である送信可能状態であるか否かを判定するステップと、
前記再生装置が、前記再生装置の状態が前記送信可能状態であると判定された場合、前記コンテンツ出力装置の動作状態を前記第１状態に設定するための切替え指示を前記コンテンツ出力装置へ送信するステップと、
前記コンテンツ出力装置が、前記切替え指示に応じて前記コンテンツ出力装置の動作状態を前記第１状態に設定するステップと、
前記再生装置が、前記コンテンツ出力装置の動作状態が前記第１状態に設定された後、前記処理済コンテンツを前記コンテンツ出力装置へ送信するステップとを備える、
再生方法。
【請求項１５】
コンテンツに対し処理を行う再生装置と、前記再生装置により処理されたコンテンツである処理済コンテンツを出力可能な第１状態および前記処理済コンテンツの出力が不可能な第２状態のいずれかに自装置の動作状態を切替えることが可能なコンテンツ出力装置とを含む再生システムにおいて実行される再生方法であって、
前記再生方法は、
前記再生装置が、コンテンツの種類に基づいて、所定のタイミングから、前記再生装置の状態が前記処理部に処理された前記処理済コンテンツの少なくとも一部を前記コンテンツ出力装置へ送信可能な状態である送信可能状態になるまでに必要な時間である切替え必要時間を決定するステップと、
前記再生装置が、前記コンテンツ出力装置が指示を受信してから少なくとも前記切替え必要時間の経過後に前記コンテンツ出力装置の動作状態を前記第１状態に設定するための切替え指示を前記コンテンツ出力装置へ送信するステップと、
前記コンテンツ出力装置が、前記切替え指示を受信してから少なくとも前記切替え必要時間が経過した後、前記コンテンツ出力装置の動作状態を前記第１状態に設定するステップと、
前記再生装置が、前記コンテンツ出力装置の動作状態が前記第１状態に設定された後、前記処理済コンテンツを前記コンテンツ出力装置へ送信するステップとを備える、
再生方法。
【発明の詳細な説明】
【技術分野】
【０００１】
本発明は、コンテンツを再生するための処理を行う再生システム、再生装置および再生方法に関する。
【背景技術】
【０００２】
ＤＶＤプレーヤー等の再生装置と、テレビジョン受像機等の表示装置とを含む再生システムがある。再生装置は、光ディスクなどの記録媒体に記録されているＡＶ（Audio Visual）コンテンツを再生する。ＡＶ（Audio Visual）コンテンツは、例えば、符号化（圧縮）された映像データおよび音声データを含む。表示装置は、再生装置により再生された映像データに基づく映像をディスプレイに表示するとともに、再生装置により再生された音声データに基づく音声を内蔵スピーカから出力する。
【０００３】
上記再生システムにおいて、記録媒体に記録されているコンテンツをユーザが視聴するために、当該コンテンツを再生する場合、ユーザは、例えば、表示装置が出力対象とするコンテンツを切替えるための複数の操作を行う必要がある。
【０００４】
当該複数の操作を軽減するための再生システムとして、映像音声視聴システムが特許文献１に開示されている。
【０００５】
図４は、従来の映像音声視聴システム５０００の構成を示す図である。
図４を参照して、映像音声視聴システム５０００は、表示装置としてのテレビジョン受像機（以下、ＴＶという）５００と、再生装置としてのＤＶＤプレーヤー６００とを含む。
【０００６】
ＴＶ５００は、映像表示部５０１と、映像処理部５０３と、スピーカ駆動部５０２と、音声処理部５０４と、内蔵スピーカ５１１と、チューナ５０７と、受信部５０６と、入力ソース選択部５０８と、電源５２０と、制御部５０５とを含む。
【０００７】
チューナ５０７は放送信号を受信する。
受信部５０６は、再生装置としてのＤＶＤプレーヤー６００から送信される映像信号（以下、映像データともいう）および音声信号（以下、音声データともいう）を受信する。映像処理部５０３は映像データに必要な処理を施して映像表示部５０１に出力する。音声処理部５０４は音声データに必要な処理を施し、得られた音声データを、スピーカ駆動部５０２へ送信する。スピーカ駆動部５０２は、音声データに基づく音声を、内蔵スピーカ５１１から出力させる。
【０００８】
入力ソース選択部５０８は、チューナ５０７から受信する、放送信号としての映像および音声信号（以下、チューナ信号ともいう）と、ＤＶＤプレーヤー６００から受信する映像および音声信号（以下、ＤＶＤ信号ともいう）とのいずれかを切替えて出力する。制御部５０５はＴＶ５００内の各部の制御を行う。
【０００９】
電源５２０は、ＴＶ５００内の各部に電力を供給する。電源５２０は、動作状態として、スタンバイ状態と、オン状態とを有する。スタンバイ状態の電源５２０は、制御部５０５だけに電力を供給する。オン状態の電源５２０は、ＴＶ５００において、電力を必要とする全ての部分に電力を供給する。
【００１０】
ＤＶＤプレーヤー６００は、光ディスク制御部６０２と、制御部６０３と、映像・音声処理部６０４と、送信部６０５と、再生内容判別部６０６と、電源６２０とを含む。
【００１１】
光ディスク制御部６０２は光ディスク６０１に記録されているコンテンツを読み出す。再生内容判別部６０６は、光ディスク６０１から読み出されたコンテンツに含まれる信号に関する情報を抽出して、当該コンテンツに映像信号および音声信号のいずれが含まれるかを判別し、更にそれらの信号のフォーマットを判別する。
【００１２】
映像・音声処理部６０４は、光ディスク制御部６０２により読み出されたコンテンツに必要な処理を施して映像信号や音声信号を再生する。送信部６０５は、映像音声処理部６０４で再生された音声信号および映像信号をＴＶ５００へ送信する。制御部６０３は、ＤＶＤプレーヤー６００内の各部に対し制御を行う。また、制御部６０３は、再生内容判別部６０６の判別結果に基づき、ＴＶ５００に対し、映像信号や音声信号の出力形式を含めた指示を行う。
【００１３】
ＴＶ５００の制御部５０５は、ＤＶＤプレーヤー６００の制御部６０３から送信されたコマンドを受信すると、受信したコマンドに応じた処理を行う。
【００１４】
制御部５０５は、ＤＶＤプレーヤー６００からコマンドを受信すると、受信したコマンドに応じて、各種処理を行う。例えば、制御部５０５は、受信したコマンドに応じて、電源５２０の動作状態がスタンバイ状態である場合、電源５２０の動作状態をオン状態に設定する。
【００１５】
そして、制御部５０５は、受信したコマンドに応じて、入力ソース選択部５０８が出力する信号を、チューナ信号から、ＤＶＤ信号に切替える。そして、制御部５０５は、ＤＶＤ信号の出力形式を、ＤＶＤプレーヤー６００から指示された出力形式に設定する。
【００１６】
入力ソース選択部５０８の出力信号の切替えに伴い、映像処理部５０３は、ＤＶＤプレーヤー６００から出力された、ＤＶＤ信号としての映像信号を受信するとともに、音声処理部５０４は、ＤＶＤプレーヤー６００から出力された、ＤＶＤ信号としての音声信号を受信する。
【００１７】
ＤＶＤプレーヤー６００の制御部６０３は、光ディスク６０１が装着されると、ＴＶ５００の電源５２０の状態を確認し、電源５２０の状態がスタンバイ状態の場合は、電源５２０の状態をオン状態にするためのコマンドをＴＶ５００へ送信する。さらに、制御部６０３は、コンテンツの情報を光ディスク６０１から読み取ると、コンテンツの映像信号および音声信号の出力形式を指定して、入力ソース切替え指示をＴＶ５００へ送信する。
【００１８】
このように、ＴＶ５００の電源５２０の状態を確認し、電源５２０の状態がスタンバイ状態の場合は、電源５２０の状態をオン状態に設定するための処理と、光ディスク６０１に記録されているコンテンツに含まれる信号の種類（映像信号および音声信号）およびそのフォーマットに応じて、ＴＶ５００の出力形式を自動的に設定する処理とが行なわれる。
【００１９】
これにより、ユーザが、再生装置としてのＤＶＤプレーヤー６００に光ディスク６０１を装着してコンテンツの読み出しを開始させるだけで、他の操作を行うことなく、ＤＶＤプレーヤー６００で再生されたコンテンツを視聴することが可能となる。
【先行技術文献】
【特許文献】
【００２０】
【特許文献１】国際公開第０７／０７７８６４号
【発明の概要】
【発明が解決しようとする課題】
【００２１】
しかしながら、上記従来の映像音声視聴システムにおいては、再生装置としてのＤＶＤプレーヤーが、光ディスクから読み出されたコンテンツに映像信号および音声信号のいずれが含まれるか判別し、信号のフォーマットを判別した時点で、表示装置としてのＴＶに対し、入力ソースの切替えを指示していた。
【００２２】
そのため、コンテンツとしての映像または音声の再生が始まる前に、入力ソースが切り替わる可能性があり、ユーザが期待しない映像または音声が出力されることがある。すなわち、ユーザが意図しないコンテンツが出力されることがあるという問題がある。
【００２３】
本発明は、上述の問題点を解決するためになされたものであって、その目的は、意図されないコンテンツが出力されることを防ぐことを可能とする再生システム等を提供することである。
【課題を解決するための手段】
【００２４】
上述の課題を解決するために、この発明のある局面に従う再生システムは、コンテンツに対し処理を行う再生装置と、再生装置により処理されたコンテンツである処理済コンテンツを出力可能な第１状態および処理済コンテンツの出力が不可能な第２状態のいずれかに自装置の動作状態を切替えることが可能なコンテンツ出力装置とを含む。再生装置は、コンテンツに対し処理を行う処理部と、再生装置の状態が、処理部に処理された処理済コンテンツの少なくとも一部をコンテンツ出力装置へ送信可能な状態である送信可能状態であるか否かを判定する判定部と、再生装置の状態が送信可能状態であると判定部により判定された場合、コンテンツ出力装置の動作状態を第１状態に設定するための切替え指示をコンテンツ出力装置へ送信する第１制御部とを備える。コンテンツ出力装置は、外部からの指示に応じた処理を行う第２制御部と、再生装置の動作状態を、第１状態および第２状態のいずれかに設定する切替え部とを備える。第２制御部は、切替え指示に応じてコンテンツ出力装置の動作状態を第１状態に設定させる指示である設定指示を切替え部へ与える。切替え部は、設定指示に応じてコンテンツ出力装置の動作状態を第１状態に設定する。再生装置は、さらに、コンテンツ出力装置の動作状態が第１状態に設定された後、処理済コンテンツをコンテンツ出力装置へ送信する送信部を備える。
【００２５】
すなわち、第１制御部は、再生装置の状態が、処理済コンテンツの少なくとも一部をコンテンツ出力装置へ送信可能な状態である送信可能状態である場合、コンテンツ出力装置の動作状態を第１状態に設定するための切替え指示をコンテンツ出力装置へ送信する。第２制御部は、切替え指示に応じて設定指示を切替え部へ与える。切替え部は、設定指示に応じてコンテンツ出力装置の動作状態を、処理済コンテンツを出力可能な第１状態に設定する。再生装置の送信部は、コンテンツ出力装置の動作状態が第１状態に設定された後、処理済コンテンツをコンテンツ出力装置へ送信する。
【００２６】
つまり、コンテンツ出力装置の動作状態が、処理済コンテンツを出力可能な状態になった後、送信部は、処理済コンテンツをコンテンツ出力装置へ送信するため、コンテンツ出力装置が、処理済コンテンツとは異なるユーザが意図しないコンテンツを出力することを防止することができる。すなわち、意図されないコンテンツが出力されることを防ぐことができる。
【００２７】
また、コンテンツ出力装置の第２制御部は、コンテンツ出力装置の動作状態が第１状態に設定された場合、コンテンツ出力装置の動作状態の設定の切替えが完了した旨を示す切替え完了情報を、再生装置へ送信し、再生装置の送信部は、再生装置の状態が送信可能状態であり、かつ、再生装置がコンテンツ出力装置から切替え完了情報を受信した場合、処理済コンテンツをコンテンツ出力装置へ送信してもよい。
【００２８】
また、処理済コンテンツは、音声データであってもよい。
これにより、コンテンツ出力装置が、音声データとしての処理済コンテンツとは異なるユーザが意図しないコンテンツを出力することを防止することができる。すなわち、意図されないコンテンツが出力されることを防ぐことができる。
【００２９】
また、処理済コンテンツは、映像データおよび音声データの両方または一方を含むデータであってもよい。
【００３０】
また、再生装置は、さらに、記録媒体に記録されたコンテンツを読み出す読出し部を備え、再生装置の第１制御部は、さらに、読出し部によるコンテンツの読み出し状態を示す読出し状態情報を、コンテンツ出力装置へ送信し、コンテンツ出力装置は、さらに、読出し状態情報の受信に応じて、読出し状態情報が示す再生装置におけるコンテンツの読出し状態を通知するための処理を行う通知部を備えてもよい。
【００３１】
これにより、コンテンツの読出し状態を知ることができる。
この発明の他の局面に従う再生システムは、コンテンツに対し処理を行う再生装置と、再生装置により処理されたコンテンツである処理済コンテンツを出力可能な第１状態および処理済コンテンツの出力が不可能な第２状態のいずれかに自装置の動作状態を切替えることが可能なコンテンツ出力装置とを含む。再生装置は、コンテンツに対し処理を行う処理部と、コンテンツの種類に基づいて、所定のタイミングから、再生装置の状態が処理部に処理された処理済コンテンツの少なくとも一部をコンテンツ出力装置へ送信可能な状態である送信可能状態になるまでに必要な時間である切替え必要時間を決定する第１制御部とを備える。第１制御部は、さらに、コンテンツ出力装置が指示を受信してから少なくとも切替え必要時間の経過後にコンテンツ出力装置の動作状態を第１状態に設定するための切替え指示をコンテンツ出力装置へ送信し、コンテンツ出力装置は、外部からの指示に応じた処理を行う第２制御部と、コンテンツ出力装置の動作状態を、第１状態および第２状態のいずれかに設定する切替え部とを備え、第２制御部は、切替え指示に応じて切替え指示を受信してから少なくとも切替え必要時間が経過した後、コンテンツ出力装置の動作状態を第１状態に設定させる指示である設定指示を切替え部へ与え、切替え部は、設定指示に応じてコンテンツ出力装置の動作状態を第１状態に設定し、再生装置は、さらに、コンテンツ出力装置の動作状態が第１状態に設定された後、処理済コンテンツをコンテンツ出力装置へ送信する送信部を備える。
【００３２】
すなわち、コンテンツ出力装置の動作状態が、処理済コンテンツを出力可能な状態になった後、送信部は、処理済コンテンツをコンテンツ出力装置へ送信するため、コンテンツ出力装置が、処理済コンテンツとは異なるユーザが意図しないコンテンツを出力することを防止することができる。つまり、意図されないコンテンツが出力されることを防ぐことができる。
【００３３】
また、コンテンツ出力装置の第２制御部は、コンテンツ出力装置の動作状態が第１状態に設定された場合、コンテンツ出力装置の動作状態の設定の切替えが完了した旨を示す切替え完了情報を、再生装置へ送信し、再生装置の送信部は、再生装置の状態が送信可能状態であり、かつ、再生装置がコンテンツ出力装置から切替え完了情報を受信した場合、処理済コンテンツをコンテンツ出力装置へ送信してもよい。
【００３４】
また、処理済コンテンツは、映像データおよび音声データの両方または一方を含むデータであってもよい。
【００３５】
また、再生装置とコンテンツ出力装置とは、ＨＤＭＩ（High Definition Multimedia Interface）規格に準拠したケーブルを使用してデータ通信を行い、第１制御部は、データ通信において、ＣＥＣ（Consumer Electronics Control）規格に準拠したコマンドを利用して、切替え指示をコンテンツ出力装置へ送信してもよい。
【００３６】
この発明のさらに他の局面に従う再生装置は、コンテンツに対し処理を行う再生装置であって、再生装置からの指示に従って、再生装置により処理されたコンテンツである処理済コンテンツを出力可能な第１状態および処理済コンテンツの出力が不可能な第２状態のいずれかに自装置の動作状態を切替えるコンテンツ出力装置とデータ通信する装置である。再生装置は、コンテンツに対し処理を行う処理部と、再生装置の状態が、処理部に処理された処理済コンテンツの少なくとも一部をコンテンツ出力装置へ送信可能な状態である送信可能状態であるか否かを判定する判定部と、再生装置の状態が送信可能状態であると判定部により判定された場合、コンテンツ出力装置の動作状態を第１状態に設定するための切替え指示をコンテンツ出力装置へ送信する制御部と、コンテンツ出力装置の動作状態が第１状態に設定された後、処理済コンテンツをコンテンツ出力装置へ送信する送信部を備える。
【００３７】
すなわち、コンテンツ出力装置の動作状態が、処理済コンテンツを出力可能な状態になった後、送信部は、処理済コンテンツをコンテンツ出力装置へ送信するため、コンテンツ出力装置が、処理済コンテンツとは異なるユーザが意図しないコンテンツを出力することを防止することができる。つまり、意図されないコンテンツが出力されることを防ぐことができる。
【００３８】
また、処理済コンテンツは、音声データであってもよい。
また、再生装置は、さらに、記録媒体に記録されたコンテンツを読み出す読出し部を備え、再生装置の制御部は、さらに、読出し部によるコンテンツの読み出し状態を示す読出し状態情報を、コンテンツ出力装置へ送信してもよい。
【００３９】
これにより、コンテンツの読出し状態を知ることができる。
この発明のさらに他の局面に従う再生装置は、コンテンツに対し処理を行う再生装置であって、再生装置からの指示に従って、再生装置により処理されたコンテンツである処理済コンテンツを出力可能な第１状態および処理済コンテンツの出力が不可能な第２状態のいずれかに自装置の動作状態を切替えるコンテンツ出力装置とデータ通信する再生装置である。再生装置は、コンテンツに対し処理を行う処理部と、コンテンツの種類に基づいて、所定のタイミングから、再生装置の状態が処理部に処理された処理済コンテンツの少なくとも一部をコンテンツ出力装置へ送信可能な状態である送信可能状態になるまでに必要な時間である切替え必要時間を決定する制御部とを備え、制御部は、さらに、コンテンツ出力装置が指示を受信してから少なくとも切替え必要時間の経過後にコンテンツ出力装置の動作状態を第１状態に設定するための切替え指示をコンテンツ出力装置へ送信し、再生装置は、さらに、コンテンツ出力装置の動作状態が第１状態に設定された後、処理済コンテンツをコンテンツ出力装置へ送信する送信部を備える。
【００４０】
すなわち、コンテンツ出力装置の動作状態が、処理済コンテンツを出力可能な状態になった後、送信部は、処理済コンテンツをコンテンツ出力装置へ送信するため、コンテンツ出力装置が、処理済コンテンツとは異なるユーザが意図しないコンテンツを出力することを防止することができる。つまり、意図されないコンテンツが出力されることを防ぐことができる。
【００４１】
この発明のさらに他の局面に従う再生方法は、コンテンツに対し処理を行う再生装置と、再生装置により処理されたコンテンツである処理済コンテンツを出力可能な第１状態および処理済コンテンツの出力が不可能な第２状態のいずれかに自装置の動作状態を切替えることが可能なコンテンツ出力装置とを含む再生システムにおいて実行される。再生方法は、再生装置が、再生装置の状態が、再生装置に処理された処理済コンテンツの少なくとも一部をコンテンツ出力装置へ送信可能な状態である送信可能状態であるか否かを判定するステップと、再生装置が、再生装置の状態が送信可能状態であると判定された場合、コンテンツ出力装置の動作状態を第１状態に設定するための切替え指示をコンテンツ出力装置へ送信するステップと、コンテンツ出力装置が、切替え指示に応じてコンテンツ出力装置の動作状態を第１状態に設定するステップと、再生装置が、コンテンツ出力装置の動作状態が第１状態に設定された後、処理済コンテンツをコンテンツ出力装置へ送信するステップとを備える。
【００４２】
すなわち、コンテンツ出力装置の動作状態が、処理済コンテンツを出力可能な状態になった後、送信部は、処理済コンテンツをコンテンツ出力装置へ送信するため、コンテンツ出力装置が、処理済コンテンツとは異なるユーザが意図しないコンテンツを出力することを防止することができる。つまり、意図されないコンテンツが出力されることを防ぐことができる。
【００４３】
この発明のさらに他の局面に従う再生方法は、コンテンツに対し処理を行う再生装置と、再生装置により処理されたコンテンツである処理済コンテンツを出力可能な第１状態および処理済コンテンツの出力が不可能な第２状態のいずれかに自装置の動作状態を切替えることが可能なコンテンツ出力装置とを含む再生システムにおいて実行される。再生方法は、再生装置が、コンテンツの種類に基づいて、所定のタイミングから、再生装置の状態が処理部に処理された処理済コンテンツの少なくとも一部をコンテンツ出力装置へ送信可能な状態である送信可能状態になるまでに必要な時間である切替え必要時間を決定するステップと、再生装置が、コンテンツ出力装置が指示を受信してから少なくとも切替え必要時間の経過後にコンテンツ出力装置の動作状態を第１状態に設定するための切替え指示をコンテンツ出力装置へ送信するステップと、コンテンツ出力装置が、切替え指示を受信してから少なくとも切替え必要時間が経過した後、コンテンツ出力装置の動作状態を第１状態に設定するステップと、再生装置が、コンテンツ出力装置の動作状態が第１状態に設定された後、処理済コンテンツをコンテンツ出力装置へ送信するステップとを備える。
【００４４】
すなわち、コンテンツ出力装置の動作状態が、処理済コンテンツを出力可能な状態になった後、送信部は、処理済コンテンツをコンテンツ出力装置へ送信するため、コンテンツ出力装置が、処理済コンテンツとは異なるユーザが意図しないコンテンツを出力することを防止することができる。つまり、意図されないコンテンツが出力されることを防ぐことができる。
【発明の効果】
【００４５】
本発明により、意図されないコンテンツが出力されることを防ぐことができる。
【図面の簡単な説明】
【００４６】
【図１】第１の実施の形態における再生システムを示す図である。
【図２】第１の実施の形態における再生システムが行う処理のフローチャートである。
【図３】第２の実施の形態における再生システムが行う処理のフローチャートである。
【図４】従来の映像音声視聴システムの構成を示す図である。
【発明を実施するための形態】
【００４７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００４８】
＜第１の実施の形態＞
図１は、第１の実施の形態における再生システム１０００を示す図である。
【００４９】
図１を参照して、再生システム１０００は、表示装置１００と、再生装置２００とを含む。
【００５０】
表示装置１００は、液晶テレビ等のテレビジョン受像機である。なお、表示装置１００は、表示装置１００は、液晶テレビに限定されることなく、例えば、ＰＤＰ（Plasma Display Panel）を使用したＰＤＰテレビであってもよい。
【００５１】
再生装置２００は、ＡＶ（Audio Visual）コンテンツを再生する装置である。再生装置２００は、例えば、ＤＶＤプレーヤーである。なお、再生装置２００は、ＤＶＤプレーヤーに限定されることなく、例えば、ブルーレイディスクプレーヤーであってもよい。
【００５２】
表示装置１００は、ＡＶケーブル３００により、再生装置２００と接続されている。ＡＶケーブル３００は、ＨＤＭＩ（High Definition Multimedia Interface）規格に準拠したケーブルである。なお、ＡＶケーブル３００は、ＨＤＭＩ規格に準拠したケーブルに限定されることなく、他の規格のケーブルであってもよい。
【００５３】
ＡＶケーブル３００は、コマンド伝送ライン３０１と、ＡＶデータ伝送ライン３０２とを含む。コマンド伝送ライン３０１は、ＨＤＭＩのオプション規格であるＣＥＣ（Consumer Electronics Control）規格に準拠したコマンドを伝送可能な伝送ラインである。ＡＶデータ伝送ライン３０２は、ＡＶデータを伝送するための伝送ラインである。
【００５４】
表示装置１００と、再生装置２００とは、ＡＶケーブル３００を利用して、互いにデータ通信可能である。表示装置１００は、再生装置２００から送信されるＡＶデータを、ＡＶケーブル３００を介して受信する。
【００５５】
表示装置１００は、映像表示部１０１と、スピーカ駆動部１０２と、映像処理部１０３と、音声処理部１０４と、制御部１０５と、受信部１０６と、チューナ１０７と、入力ソース選択部１０８と、コネクタ１０９と、ユーザ通知部１１０と、内蔵スピーカ１１１とを含む。
【００５６】
なお、表示装置１００は、図示しない、リモコン信号受信部、電源等を含む。当該リモコン信号受信部、電源等は、本発明と直接関係しないため、詳細な説明は行わない。なお、制御部１０５は、実際には、映像表示部１０１、映像処理部１０３、スピーカ駆動部１０２、音声処理部１０４およびユーザ通知部１１０と、図示しない制御線により接続されている。しかしながら、図１では、図面を簡略化するために、当該制御線を示していない。制御線は、制御用の配線である。
【００５７】
コネクタ１０９には、ＡＶケーブル３００が接続される。
制御部１０５は、演算機能を有するＣＰＵ（Central Processing Unit）である。すなわち、制御部１０５は、マイクロコンピュータとして機能する。なお、制御部１０５は、ＣＰＵに限定されることなく、演算機能を有する回路であれば他の回路であってもよい。
【００５８】
表示装置１００の制御部１０５と、再生装置２００の制御部２０３とは、コマンド伝送ライン３０１を利用して、コマンドを送受信する。一方、映像データおよび音声データの送受信は、ＡＶデータ伝送ライン３０２、各装置内に含まれる送信部および受信部を利用して行われる。
【００５９】
送信部および受信部を利用してデータの送受信を行う理由は、著作権保護の観点から、ＡＶケーブル３００に伝送されるデータに、スクランブルが解かれた映像データや音声データが存在しないようにするためである。
【００６０】
再生装置２００は、光ディスク制御部２０２と、制御部２０３と、映像・音声処理部２０４と、送信部２０５と、再生内容判別部２０６と、映像・音声判定部２０７と、コネクタ２０８とを含む。なお、再生装置２００は、図示しない、リモコン信号受信部、電源等を含む。当該リモコン信号受信部、電源等は、本発明と直接関係しないため、詳細な説明は行わない。
【００６１】
コネクタ２０８には、ＡＶケーブル３００が接続される。
制御部２０３は、演算機能を有するＣＰＵ（Central Processing Unit）である。すなわち、制御部２０３は、マイクロコンピュータとして機能する。なお、制御部２０３は、ＣＰＵに限定されることなく、演算機能を有する回路であれば他の回路であってもよい。
【００６２】
光ディスク制御部２０２は、再生装置２００に設けられる図示しないディスク挿入部に光ディスク２０１が挿入（装着）された場合、光ディスク２０１に対しデータアクセスする。光ディスク２０１は、データを記録する記録媒体である。光ディスク２０１には、コンテンツとしてのＡＶデータ、ＴＯＣ（Table of contents）情報、物理情報、ファイルシステムの管理情報、コンテンツ情報等が記録されている。
【００６３】
光ディスク２０１に記録されている、コンテンツとしてのＡＶデータ（以下、ディスクコンテンツともいう）は、所定の符号化方式により符号化（圧縮）されている。ディスクコンテンツは、符号化された映像データおよび音声データの少なくとも一方を含む。なお、当該音声データは、符号化（圧縮）されてないデータであってもよい。
【００６４】
物理情報は、光ディスクの種類を示す情報である。
ファイルシステムの管理情報（以下、単に、管理情報ともいう）は、ファイルシステムの構造の情報を示す。コンテンツ情報は、ＡＶデータの再生に必要な情報である。コンテンツ情報は、映像データおよび音声データに関する情報を示す情報である。
【００６５】
コンテンツ情報は、例えば、ディスクコンテンツとしての映像データおよび音声データの種類を示す。コンテンツ情報は、例えば、ＭＰＥＧ−２、Ｈ．２６４／ＡＶＣ、ＰＣＭ（Pulse Code Modulation）等のように、ディスクコンテンツの種類を示す。
【００６６】
光ディスク制御部２０２は、光ディスク２０１から、ディスクコンテンツ、ＴＯＣ情報、物理情報、管理情報、コンテンツ情報等を読み出す。
【００６７】
ディスクコンテンツに映像データが含まれる場合、当該映像データは、例えば、以下の記録フォーマットにより光ディスク２０１に記録されたデータである。当該記録フォーマットは、例えば、ＤＶＤ−Ｖｉｄｅｏ、ＤＶＤ−ＶＲ（Video Recording）、Ｖｉｄｅｏ−ＣＤ、ＢＤ−Ｖｉｄｅｏ（Blu-ray Disc Read-Only Format Part 3 Audio Visual Basic Specifications）、ＢＤ−ＡＶ（Blu-ray Disc Rewritable Format Part 3 Audio Visual Basic Specifications）等である。
【００６８】
例えば、ＤＶＤ−Ｖｉｄｅｏの記録フォーマットにより光ディスク２０１に記録されている映像データは、例えば、ＭＰＥＧ−２規格のデータである。
【００６９】
なお、上記に限定されることなく、ディスクコンテンツに映像データが含まれる場合、当該映像データは、ＤｉｖＸ規格のデータ、Ｈ．２６４／ＡＶＣ規格のデータ、ＪＰＥＧデータ等であってもよい。ＭＰＥＧ−２規格のデータ、Ｈ．２６４／ＡＶＣ規格のデータ、ＤｉｖＸ規格のデータは、動画像の符号化（圧縮）規格に基づくデータである。
【００７０】
また、ディスクコンテンツに音声データが含まれる場合、当該音声データは、例えば、以下の記録フォーマットにより光ディスク２０１に記録されたデータである。当該記録フォーマットは、例えば、ＤＶＤ−Ｖｉｄｅｏ、ＤＶＤ−Ａｕｄｉｏ、ＤＶＤ−ＶＲ、Ｖｉｄｅｏ−ＣＤ、ＢＤ−Ｖｉｄｅｏ、ＢＤ−ＡＶ、ＣＤ−ＤＡ等である。
【００７１】
例えば、ＤＶＤ−Ｖｉｄｅｏの記録フォーマットにより光ディスク２０１に記録されている音声データは、例えば、ＰＣＭ（Pulse Code Modulation）形式のデータである。なお、上記に限定されることなく、ディスクコンテンツに音声データが含まれる場合、当該音声データは、例えば、ＭＰ３（MPEG Audio Layer-3）データ、ＷＭＡ（Windows（登録商標） Media Audio）データ等であってもよい。ＭＰ３データ、ＷＭＡデータは、符号化（圧縮）された音声データである。
【００７２】
映像・音声処理部２０４は、ディスクコンテンツが映像データを含む場合、当該映像データを復号する復号処理を行う。すなわち、映像・音声処理部２０４は、映像データに対し復号処理を行う。そして、映像・音声処理部２０４は、必要に応じて、復号処理により得られたデータに対し、さらに処理を行う。以下においては、映像・音声処理部２０４により処理が行われた、ディスクコンテンツに含まれる映像データを、処理済映像データという。
【００７３】
また、映像・音声処理部２０４は、ディスクコンテンツが音声データを含む場合、当該音声データに対し、必要な処理を行う。当該必要な処理は、例えば、音声データが符号化されたデータである場合、当該音声データを復号する処理である。以下においては、映像・音声処理部２０４により処理が行われた、ディスクコンテンツに含まれる音声データを、処理済音声データという。
【００７４】
以下においては、映像・音声処理部２０４により処理されたディスクコンテンツを、処理済コンテンツという。処理済コンテンツには、処理済映像データおよび処理済音声データの少なくとも一方が含まれる。
【００７５】
映像・音声処理部２０４は、処理済コンテンツを、送信部２０５へ送信する。
再生内容判別部２０６は、制御部２０３の指示に応じて、ディスクコンテンツの種別（フォーマット）を判別する。
【００７６】
映像・音声判定部２０７は、処理済コンテンツの少なくとも一部を、ＡＶケーブル３００を介して、表示装置１００へ送信する準備ができたか否かを判定する。すなわち、映像・音声判定部２０７は、再生装置２００の状態が、処理済コンテンツの少なくとも一部を、ＡＶケーブル３００を介して、表示装置１００へ送信可能な状態（以下、コンテンツ送信可能状態ともいう）であるか否かを判定する。
【００７７】
送信部２０５は、処理済コンテンツを、暗号鍵を用いて暗号化（スクランブル）した後、暗号化された処理済コンテンツを、ＡＶケーブル３００のＡＶデータ伝送ライン３０２を介して、表示装置１００へ送信する。
【００７８】
表示装置１００の受信部１０６は、ＡＶケーブル３００のＡＶデータ伝送ライン３０２を介して、暗号化された処理済コンテンツを受信する。受信部１０６は、制御部１０５の指示に応じて、暗号鍵を用いて、暗号化された処理済コンテンツのスクランブルを解除する。すなわち、受信部１０６は、暗号鍵を用いて、暗号化された処理済コンテンツを復号する。
【００７９】
そして、受信部１０６は、処理済コンテンツを、入力ソース選択部１０８へ送信する。
チューナ１０７は、図示しないケーブルまたはアンテナから、放送データとしてのＡＶデータ（以下、放送コンテンツという）を受信する。放送コンテンツには、映像データおよび音声データの少なくとも一方が含まれる。チューナ１０７は、受信した放送コンテンツを、入力ソース選択部１０８へ送信する。
【００８０】
また、制御部２０３は、コマンドを、ＡＶケーブル３００のコマンド伝送ライン３０１を介して、表示装置１００の制御部１０５へ送信する。
【００８１】
制御部１０５は、ＡＶケーブル３００のコマンド伝送ライン３０１を介して、コマンドを受信すると、受信したコマンドの内容に応じて各部の制御を行う。
【００８２】
入力ソース選択部１０８は、制御部１０５からの指示に応じて、映像処理部１０３および音声処理部１０４の少なくとも一方へ送信するコンテンツを、放送コンテンツおよび処理済コンテンツのいずれかに切替える。具体的には、入力ソース選択部１０８は、制御部１０５からの指示に応じて、受信した放送コンテンツおよび処理済コンテンツのいずれかに含まれるコンテンツとしてのデータを、当該データに対応する処理部へ送信する。
【００８３】
入力ソース選択部１０８が送信するコンテンツ（放送コンテンツまたは処理済コンテンツ）に、例えば、映像データおよび音声データが含まれる場合、入力ソース選択部１０８は、コンテンツとしての映像データおよび音声データを、それぞれ、映像処理部１０３および音声処理部１０４へ送信する。
【００８４】
映像処理部１０３は、入力ソース選択部１０８から受信した映像データに対し、必要な処理を行う。そして、映像処理部１０３は、処理された映像データを、映像表示部１０１へ送信する。
【００８５】
映像表示部１０１は、映像を表示する装置（例えば、ディスプレイ）である。映像表示部１０１は、受信した映像データに基づく映像を表示する。すなわち、映像表示部１０１は、受信した映像データに基づく映像を表示することにより、コンテンツとしての当該映像データを出力する。
【００８６】
音声処理部１０４は、入力ソース選択部１０８から受信した音声データに対し、必要に応じて、処理を行う。例えば、音声データが符号化（圧縮）されている場合、音声処理部１０４は、当該音声データを復号する処理を行う。そして、音声処理部１０４は、処理された音声データを、スピーカ駆動部１０２へ送信する。
【００８７】
スピーカ駆動部１０２は、受信した音声データのレベルを増幅し、内蔵スピーカ１１１から、当該音声データに基づく音声を出力させる。すなわち、内蔵スピーカ１１１は、コンテンツとしての音声データに基づく音声を出力する。
【００８８】
入力ソース選択部１０８が、処理済コンテンツに含まれるデータを、当該データに対応する処理部へ送信する場合、表示装置１００の動作状態は、ディスクコンテンツとしての処理済コンテンツを出力可能な状態（以下、第１状態という）である。例えば、処理済コンテンツに、映像データおよび音声データが含まれる場合、入力ソース選択部１０８は、処理済コンテンツとしての映像データおよび音声データを、それぞれ、映像処理部１０３および音声処理部１０４へ送信する。
【００８９】
第１状態の表示装置１００は、処理済コンテンツとしての映像データに基づく映像および処理済コンテンツとしての音声データに基づく音声の少なくとも一方を出力する。すなわち、第１状態の表示装置１００は、処理済コンテンツを出力する。
【００９０】
また、入力ソース選択部１０８が、放送コンテンツに含まれるデータを、当該データに対応する処理部へ送信する場合、表示装置１００の動作状態は、処理済コンテンツの出力が不可能な状態（以下、第２状態という）である。例えば、放送コンテンツに、映像データおよび音声データが含まれる場合、入力ソース選択部１０８は、放送コンテンツとしての映像データおよび音声データを、それぞれ、映像処理部１０３および音声処理部１０４へ送信する。
【００９１】
第２状態の表示装置１００は、放送コンテンツとしての映像データに基づく映像および放送コンテンツとしての音声データに基づく音声の少なくとも一方を出力する。すなわち、第２状態の表示装置１００は、放送コンテンツを出力する。
【００９２】
また、ユーザ通知部１１０は、制御部１０５からの指示に応じて、ユーザに通知するための情報（以下、ユーザ通知情報という）を決定し、ユーザ通知情報を作成する。ユーザ通知部１１０は、ユーザ通知情報を、映像表示部１０１へ送信する。
【００９３】
また、映像表示部１０１は、ユーザ通知情報を受信した場合、表示している映像に、ユーザ通知情報を重畳して表示する。
【００９４】
次に、第１の実施の形態における再生システム１０００の動作を、図を参照しながら説明する。
【００９５】
図２は、第１の実施の形態における再生システム１０００が行う処理のフローチャートである。
【００９６】
図２では、表示装置１００の動作状態が第２状態であり、表示装置１００が放送コンテンツを出力している場合に、再生装置２００に設けられる図示しないディスク挿入部に光ディスク２０１が挿入された場合の処理を示す。
【００９７】
具体的には、図２は、表示装置１００が放送コンテンツを出力している場合に、再生装置２００に光ディスク２０１が挿入され、再生装置２００が、ディスクコンテンツとしての処理済コンテンツを表示装置１００へ送信する直前に、表示装置１００の動作状態が第１状態に切替わる場合の処理を示す。
【００９８】
再生装置２００が、ディスクコンテンツとしての処理済コンテンツを表示装置１００へ送信している場合、再生装置２００は、光ディスク２０１に記録されているディスクコンテンツを再生していることになる。ここで、光ディスク２０１には、一例として、ＤＶＤ−Ｖｉｄｅｏの記録フォーマットに基づいて、ディスクコンテンツが記録されているとする。
【００９９】
ここで、表示装置１００が放送コンテンツを出力している期間を期間Ｔ１０とする。この場合、表示装置１００の動作状態は第２状態である。なお、期間Ｔ１０において、ユーザは、表示装置１００から出力される放送コンテンツを視聴しているとする。
【０１００】
また、表示装置１００が、ディスクコンテンツとしての処理済コンテンツを出力している期間を期間Ｔ１１とする。この場合、表示装置１００の動作状態は第１状態である。なお、期間Ｔ１１において、ユーザは、表示装置１００から出力される、ディスクコンテンツとしての処理済コンテンツを視聴するとする。
【０１０１】
まず、期間Ｔ１０において、ユーザが、再生装置２００に光ディスク２０１を挿入したとする。この場合、再生装置２００では、ステップＳ２００の処理が行われる。
【０１０２】
ステップＳ２００では、光ディスク制御部２０２が、再生装置２００に光ディスク２０１が挿入されたことを検知し、光ディスク制御部２０２は、検知した旨を、制御部２０３へ通知する。
【０１０３】
そして、制御部２０３は、再生装置２００に光ディスク２０１が挿入されたことを示す情報（以下、ディスク挿入情報という）を示すコマンドＣ１を、ＡＶケーブル３００のコマンド伝送ライン３０１を介して、表示装置１００の制御部１０５へ送信する。
【０１０４】
また、制御部２０３からの指示により、光ディスク制御部２０２は、光ディスク２０１から、物理情報および管理情報を取得する。光ディスク制御部２０２は、取得した物理情報および管理情報を、制御部２０３へ送信する。
【０１０５】
そして、制御部２０３は、受信した物理情報および管理情報を、再生内容判別部２０６へ送信する。そして、処理は、ステップＳ２０１に移行する。
【０１０６】
制御部１０５が、ディスク挿入情報を示すコマンドＣ１を受信すると、表示装置１００では、ステップＳ１００の処理が行われる。
【０１０７】
ステップＳ１００では、通知処理が行われる。通知処理では、制御部１０５が、受信したコマンドＣ１が示すディスク挿入情報を、ユーザ通知部１１０へ送信する。
【０１０８】
ユーザ通知部１１０は、ディスク挿入情報を受信すると、再生装置２００に光ディスク２０１が挿入されたことをユーザに通知するためのユーザ通知情報を生成する。この場合、生成されたユーザ通知情報は、例えば、「ディスクが挿入されました。処理を開始します」というメッセージ（以下、メッセージＮという）を示す情報である。
【０１０９】
そして、ユーザ通知部１１０は、生成したユーザ通知情報を、映像表示部１０１へ送信する。
【０１１０】
映像表示部１０１は、ユーザ通知情報を受信すると、表示している映像に、受信したユーザ通知情報が示すメッセージＮを重畳して表示する。
【０１１１】
なお、ユーザ通知情報が示すメッセージＮは、上記メッセージに限定されず、再生装置が光ディスクを認識し、光ディスクの再生処理が始まったことをユーザに通知するためのメッセージであれば、どのようなメッセージであってもよい。また、コマンドＣ１が送信されるタイミングは、上記に限定されない。
【０１１２】
ステップＳ２０１では、制御部２０３からの指示により、再生内容判別部２０６は、取得した物理情報が示す光ディスクの種類に基づいて、ファイルシステム構造を解析し、光ディスク２０１に記録されているディスクコンテンツの記録フォーマットを判別する。例えば、再生内容判別部２０６により判別された、ディスクコンテンツの記録フォーマットは、ＤＶＤ−Ｖｉｄｅｏである。そして、処理はステップＳ２０２へ移行する。
【０１１３】
ステップＳ２０２では、再生内容判別部２０６は、解析したファイルシステム構造に基づいて、光ディスク２０１からコンテンツ情報を取得するための指示を制御部２０３へ与える。当該指示を受けた制御部２０３からの指示により、光ディスク制御部２０２は、光ディスク２０１から、コンテンツ情報を取得する。コンテンツ情報は、再生対象のディスクコンテンツに含まれる映像データ（映像ストリーム）および音声データ（音声ストリーム）に関する情報である。
【０１１４】
光ディスク制御部２０２は、取得したコンテンツ情報を、制御部２０３へ送信する。そして、制御部２０３は、受信したコンテンツ情報を、再生内容判別部２０６へ送信する。
【０１１５】
例えば、ディスクコンテンツが、ＤＶＤ−Ｖｉｄｅｏの記録フォーマットに基づいて光ディスク２０１に記録されている場合、コンテンツ情報としてのビデオマネージャ情報（ＶＭＧＩ（Video Manager Information））には、映像データ（映像ストリーム）および音声データ（音声ストリーム）に関する情報が含まれる。
【０１１６】
また、制御部２０３は、再生内容判別部２０６を利用して、光ディスク２０１において、映像データおよび音声データが記録されている位置を示す位置情報を取得する。
【０１１７】
次に、制御部２０３は、コンテンツ情報を解析中である旨、すなわち、光ディスク２０１からデータを読出し中である旨を示す情報（以下、読出し状態情報という）を示すコマンドＣ２を、ＡＶケーブル３００のコマンド伝送ライン３０１を介して、表示装置１００の制御部１０５へ送信する（Ｓ２０２Ｎ）。すなわち、読出し状態情報は、光ディスク制御部２０２によるコンテンツの読出し状態を示す。そして、処理はステップＳ２０３に移行する。
【０１１８】
制御部１０５が、読出し状態情報を示すコマンドＣ２を受信すると、表示装置１００では、ステップＳ１０１の処理が行われる。
【０１１９】
ステップＳ１０１では、通知処理Ａが行われる。通知処理Ａでは、制御部１０５が、受信したコマンドＣ２が示す読出し状態情報を、ユーザ通知部１１０へ送信する。
【０１２０】
ユーザ通知部１１０は、読出し状態情報を受信すると、ユーザ通知部１１０は、再生装置２００が光ディスク２０１のデータを読出し中であることをユーザに通知するためのユーザ通知情報Ａを生成する。この場合、生成されたユーザ通知情報Ａは、例えば、「ディスクからデータを読出し中です」というメッセージ（以下、メッセージＡという）を示す情報である。
【０１２１】
そして、ユーザ通知部１１０は、生成したユーザ通知情報Ａを、映像表示部１０１へ送信する。
【０１２２】
映像表示部１０１は、ユーザ通知情報Ａを受信すると、表示している映像に、受信したユーザ通知情報Ａが示すメッセージＡを重畳して表示する。
【０１２３】
なお、ユーザ通知情報Ａが示すメッセージＡは、上記メッセージに限定されず、「再生装置において、光ディスクのコンテンツを再生するための処理が進んでいることを、ユーザに通知するためのメッセージであれば、どのようなメッセージであってもよい。また、コマンドＣ２が送信されるタイミングは、上記に限定されない。
【０１２４】
なお、コマンドＣ２を送信する処理は省略されてもよい。また、コマンドＣ２のような再生装置２００の状態を示すコマンドを、複数回発行して、状態遷移の詳細を表示装置１００に通知し、状態遷移の詳細をユーザに通知することも可能である。
【０１２５】
ステップＳ２０３では、制御部２０３からの指示により、映像・音声処理部２０４が、再生対象のディスクコンテンツを再生するための所定の設定を行う。当該所定の設定が完了すると、映像・音声処理部２０４は、光ディスク２０１に記録されているディスクコンテンツの再生が可能な状態になる。
【０１２６】
なお、所定の設定については本実施の形態に係わるところではないため、詳細な説明を省く。当該所定の設定が完了すると、映像・音声処理部２０４は、所定の設定が完了した旨を、制御部２０３へ通知する。そして、処理はステップＳ２０４に移行する。
【０１２７】
ステップＳ２０４では、制御部２０３が、コンテンツ読出し指示を、光ディスク制御部２０２に与える。コンテンツ読出し指示は、ステップＳ２０２の処理で取得した位置情報に基づいて、光ディスク２０１から再生対象のディスクコンテンツを読出し、読出したディスクコンテンツを、映像・音声処理部２０４へ転送するための指示である。
【０１２８】
光ディスク制御部２０２は、コンテンツ読出し指示に基づいて、位置情報に基づいて、光ディスク２０１からディスクコンテンツを読出し、読出したディスクコンテンツを、映像・音声処理部２０４へ転送する。これにより、ディスクコンテンツの転送が開始される。そして、処理はステップＳ２０４Ｎに移行する。
【０１２９】
ステップＳ２０４Ｎでは、映像・音声処理部２０４が、コンテンツ処理を実行する。コンテンツ処理は、他の処理とは独立して行われる。具体的には、コンテンツ処理では、映像・音声処理部２０４が、光ディスク制御部２０２から受信しているディスクコンテンツに含まれるデータに対し、所定の処理を行うことにより、符号化されていないデータを得る。
【０１３０】
例えば、ディスクコンテンツに、映像データおよび音声データが含まれる場合、映像・音声処理部２０４は、光ディスク制御部２０２から受信しているディスクコンテンツに含まれる映像データおよび音声データに対し、所定の処理を行うことにより、符号化されていない映像データ（処理済映像データ）および音声データ（処理済音声データ）を得る。処理済映像データおよび処理済音声データは、処理済コンテンツである。
【０１３１】
また、例えば、ディスクコンテンツに、音声データのみが含まれる場合、映像・音声処理部２０４は、光ディスク制御部２０２から受信しているディスクコンテンツに含まれる音声データに対し、所定の処理を行うことにより、符号化されていない音声データ（処理済音声データ）を得る。
【０１３２】
以下においては、所定の処理を行なう対象となるデータを、所定処理対象データという。所定処理対象データ（映像データまたは音声データ）が符号化（圧縮）されている場合、当該所定の処理では、所定処理対象データ（映像データまたは音声データ）を復号する処理が行われる。
【０１３３】
なお、所定処理対象データ（映像データまたは音声データ）が符号化（圧縮）されてない場合、当該所定の処理では、所定処理対象データ（映像データまたは音声データ）を復号する処理が行われない。
【０１３４】
ステップＳ２０５では、判定処理が行われる。判定処理では、前述したように、映像・音声判定部２０７が、再生装置２００の状態が、処理済コンテンツの少なくとも一部を、ＡＶケーブル３００を介して、表示装置１００へ送信可能な状態であるか否かを判定する。処理済コンテンツは、表示装置１００が復号等の処理をすることなく、再生可能なコンテンツ（再生ストリーム）である。
【０１３５】
例えば、光ディスク２０１から読み出されたディスクコンテンツが、光ディスク２０１にＤＶＤ−Ｖｉｄｅｏの記録フォーマットに基づいて記録されている場合、ディスクコンテンツに含まれる映像データは、例えば、ＭＰＥＧ−２規格のデータ（以下、ＭＰＥＧ２データといもいう）である。
【０１３６】
この場合、映像・音声判定部２０７は、映像・音声処理部２０４がＭＰＥＧ２データの復号を行うことにより、一番目のピクチャの復号が完了した時点で、再生装置２００の状態が、処理済コンテンツの少なくとも一部を表示装置１００へ送信可能な状態（コンテンツ送信可能状態）であると判定する。
【０１３７】
なお、ディスクコンテンツが、映像データを含まず音声データのみを含む場合、すなわち、ディスクコンテンツが音声データである場合、映像・音声判定部２０７は、映像・音声処理部２０４により前述の所定の処理が行われることにより、処理済音声データが得られた時点で、再生装置２００の状態が、コンテンツ送信可能状態であると判定する。
【０１３８】
そして、映像・音声判定部２０７は、再生装置２００の状態が、コンテンツ送信可能状態であると判定した場合、再生装置２００の状態がコンテンツ送信可能状態である旨を、制御部２０３へ通知する。そして、処理はステップＳ２０６に移行する。
【０１３９】
ステップＳ２０６では、制御部２０３からの指示により、映像・音声処理部２０４は、処理済コンテンツを一時的に保持し、送信部２０５へ送信しないようにする。すなわち、映像・音声処理部２０４は、再生ストリームとしての処理済コンテンツの送信を禁止した状態に設定する。これにより、再生装置２００の状態は、処理済コンテンツの送信が一時停止された状態（以下、再生一時停止状態という）になる。
【０１４０】
そして、映像・音声処理部２０４は、再生装置２００の状態が、再生一時停止状態である旨を、制御部２０３に通知する。
【０１４１】
そして、制御部２０３は、コンテンツ切替え指示としてのコマンドＣ３を、ＡＶケーブル３００のコマンド伝送ライン３０１を介して、表示装置１００の制御部１０５へ送信する（Ｓ２０６Ｎ）。コンテンツ切替え指示は、入力ソース選択部１０８が映像処理部１０３および音声処理部１０４の少なくとも一方へ送信するコンテンツを、放送コンテンツから処理済コンテンツに切替えるための指示である。すなわち、コンテンツ切替え指示としてのコマンドＣ３は、表示装置１００の動作状態を、第２状態から第１状態に切替えるための指示である。
【０１４２】
制御部１０５が、コンテンツ切替え指示としてのコマンドＣ３を受信すると、表示装置１００では、ステップＳ１０２の処理が行われる。
【０１４３】
ステップＳ１０２では、切替え処理が行われる。切替え処理では、制御部１０５が、受信したコンテンツ切替え指示を、入力ソース選択部１０８に与える。
【０１４４】
入力ソース選択部１０８は、コンテンツ切替え指示に従って、映像処理部１０３および音声処理部１０４の少なくとも一方へ送信するコンテンツを、放送コンテンツから処理済コンテンツに切替える。すなわち、入力ソース選択部１０８は、表示装置１００の動作状態を、第２状態から第１状態に設定する（切替える）。
【０１４５】
ステップＳ１０３では、制御部１０５が、切替え完了情報を示すコマンドＣ４を、ＡＶケーブル３００のコマンド伝送ライン３０１を介して、再生装置２００の制御部２０３へ送信する。当該切替え完了情報は、出力するコンテンツの切替えを完了した旨を示す情報である。すなわち、切替え完了情報は、表示装置１００の動作状態を、第１状態に設定する処理が完了した旨を示す情報でもある。つまり、切替え完了情報は、表示装置１００の動作状態の設定の切替えが完了した旨を示す情報である。
【０１４６】
制御部２０３が、制御部１０５から、切替え完了情報を示すコマンドＣ４を受信すると、再生装置２００では、ステップＳ２０７の処理が行われる。
【０１４７】
ステップＳ２０７では、コンテンツ送信処理が行われる。コンテンツ送信処理では、制御部２０３が、切替え完了情報を受信することにより、表示装置１００の動作状態が、再生ストリームとしての処理済コンテンツを出力可能な状態であることを検知する。すなわち、制御部２０３は、表示装置１００が、ＡＶケーブル３００のＡＶデータ伝送ライン３０２を介して、再生ストリームとしての処理済コンテンツを受信可能な状態になったことを検知する。
【０１４８】
そして、制御部２０３からの指示により、映像・音声処理部２０４は、一時的に保持している処理済コンテンツを、送信部２０５へ送信する。すなわち、映像・音声処理部２０４は、再生一時停止状態を解除する。
【０１４９】
送信部２０５は、映像・音声処理部２０４から送信される、再生ストリームとしての処理済コンテンツを、ＡＶケーブル３００のＡＶデータ伝送ライン３０２を介して、表示装置１００へ送信する。送信部２０５が送信する処理済コンテンツには、処理済映像データおよび処理済音声データの少なくとも一方が含まれる。
【０１５０】
表示装置１００では、ステップＳ１０４の処理が行われる。
ステップＳ１０４では、コンテンツ出力処理が行われる。コンテンツ出力処理では、受信部１０６が、再生装置２００から受信した処理済コンテンツを、入力ソース選択部１０８へ送信する。
【０１５１】
入力ソース選択部１０８は、処理済コンテンツに含まれるデータを、当該データに対応する処理部へ送信する。例えば、処理済コンテンツに、映像データおよび音声データが含まれる場合、入力ソース選択部１０８は、処理済コンテンツとしての映像データおよび音声データを、それぞれ、映像処理部１０３および音声処理部１０４へ送信する。
【０１５２】
なお、処理済コンテンツに処理済音声データのみが含まれる場合、すなわち、処理済コンテンツが、処理済音声データである場合、入力ソース選択部１０８は、処理済音声データを、音声処理部１０４へ送信する。
【０１５３】
映像処理部１０３は、入力ソース選択部１０８から処理済映像データを受信した場合、当該処理済映像データに対し、必要な処理を行う。そして、映像処理部１０３は、処理された処理済映像データを、映像表示部１０１へ送信する。
【０１５４】
映像表示部１０１は、受信した処理済映像データに基づく映像を表示する。すなわち、映像表示部１０１は、受信した処理済映像データに基づく映像を表示することにより、コンテンツとしての当該処理済映像データを出力する。
【０１５５】
また、音声処理部１０４は、入力ソース選択部１０８から処理済音声データを受信した場合、当該処理済音声データを、スピーカ駆動部１０２へ送信する。
【０１５６】
スピーカ駆動部１０２は、受信した処理済音声データのレベルを増幅し、内蔵スピーカ１１１から、当該処理済音声データに基づく音声を出力させる。すなわち、内蔵スピーカ１１１は、コンテンツとしての処理済音声データに基づく音声を出力する。
【０１５７】
すなわち、表示装置１００は、コンテンツを出力するコンテンツ出力装置である。
【０１５８】
以上説明したように、本実施の形態では、再生装置２００が、ディスクコンテンツとしての処理済コンテンツを表示装置１００へ送信する直前に、再生装置２００が、表示装置１００の動作状態を、処理済コンテンツを出力可能な状態に設定する。その後、再生装置２００は、ディスクコンテンツとしての処理済コンテンツを表示装置１００へ送信する。
【０１５９】
したがって、表示装置１００が、処理済コンテンツとは異なるユーザが意図しないコンテンツを出力することを防止することができる。すなわち、意図されないコンテンツが出力されることを防ぐことができる。
【０１６０】
また、ユーザは、ディスクコンテンツとしての処理済コンテンツが表示装置１００へ送信される直前まで、チューナ１０７から送信される放送コンテンツを視聴することができる。
【０１６１】
その結果、ユーザの期待しない映像や音声が表示装置１００から出力されている状態で、ディスクコンテンツが表示装置１００から出力されるまで待つといったユーザのストレスが軽減される。
【０１６２】
また、再生装置２００の状態がコンテンツ送信可能状態であると判定された場合、再生装置２００は、コンテンツ切替え指示を、表示装置１００へ送信する。コンテンツ切替え指示は、表示装置１００が、ディスクコンテンツとしての処理済コンテンツを出力可能な状態にするための指示である。
【０１６３】
これにより、再生装置２００の状態がコンテンツ送信可能状態であると判定されたタイミングで表示装置１００が出力するコンテンツの切り替えが行え、ユーザが意図したコンテンツの先頭からユーザは映像を視聴することが可能になる。
【０１６４】
例えば、表示装置１００に表示される、放送コンテンツに基づくテレビ番組等をユーザが視聴している状態で、ユーザが再生装置２００に光ディスク２０１を挿入したとする。この場合、表示装置１００の出力するコンテンツの切替えが行われるのとほぼ同時に、ディスクコンテンツに基づく映像が表示される。そのため、ディスクコンテンツに基づく映像が表示される直前まで、ユーザはチューナ１０７から送信される放送コンテンツを視聴することができる。
【０１６５】
また、表示装置１００は、再生装置２００におけるコンテンツの読出し状態を示すメッセージを、表示している映像に、重畳して表示する。
【０１６６】
これにより、例えば、ユーザは、表示装置１００側で、再生装置２００のコンテンツ読み出し状況が把握でき、現在の再生装置２００の状態を確認する事が可能となる。
【０１６７】
例えば、表示装置１００でコンテンツの読出し状態を示すメッセージを表示することが可能な場合に、再生装置２００のコンテンツの読出し状態を示すメッセージを表示させることにより、ユーザに現在の再生装置２００の状態を通知することが可能になる。
【０１６８】
また、ＣＥＣ規格に準拠したコマンドにより、表示装置１００の出力するコンテンツの切替えを行うことが可能となる。
【０１６９】
本発明の再生システム１０００においては、映像表示部１０１および内蔵スピーカ１１１から出力される映像、音声が切り替わった時点で、ユーザが期待するコンテンツの映像や音声の再生が始まる。
【０１７０】
その結果、ユーザは、コンテンツの映像や音声が表示装置１００から出力されるまでの間、切り替える前の映像や音声を楽しむことができ、期待しない映像や音声の状態で待つストレスが軽減される。
【０１７１】
＜第２の実施の形態＞
本実施の形態における再生システムは、図１の再生システム１０００である。そのため、再生システム１０００に含まれる表示装置１００および再生装置２００の詳細な説明は繰り返さない。
【０１７２】
なお、本実施の形態では、制御部１０５および制御部２０３の行う処理の一部が、第１の実施の形態と異なる。
【０１７３】
次に、第２の実施の形態における再生システム１０００の動作を、図を参照しながら説明する。
【０１７４】
図３は、第２の実施の形態における再生システム１０００が行う処理のフローチャートである。図３において、図２のステップ番号と同じステップ番号の処理は、第１の実施の形態で説明した処理と同様な処理が行なわれるので詳細な説明は繰り返さない。
【０１７５】
図３に示される期間Ｔ１０，Ｔ１１は、第１の実施の形態で説明したので詳細な説明は繰り返さない。ここで、光ディスク２０１には、一例として、ＤＶＤ−Ｖｉｄｅｏの記録フォーマットに基づいて、ディスクコンテンツが記録されているとする。また、表示装置１００の動作状態が第２状態であり、表示装置１００が放送コンテンツを出力しているとする。
【０１７６】
まず、期間Ｔ１０において、ユーザが、再生装置２００に光ディスク２０１を挿入したとする。この場合、再生装置２００では、ステップＳ２００の処理が行われる。
【０１７７】
ステップＳ２００では、第１の実施の形態で説明したのと同様な処理が行われるので詳細な説明は繰り返さない。この処理により、ディスク挿入情報を示すコマンドＣ１が、表示装置１００の制御部１０５へ送信される。また、この処理により、物理情報および管理情報が取得され、物理情報および管理情報は、再生内容判別部２０６へ送信される。
【０１７８】
ステップＳ１００では、第１の実施の形態で説明したのと同様な処理が行われるので詳細な説明は繰り返さない。
【０１７９】
ステップＳ２０１，Ｓ２０２では、第１の実施の形態で説明したのと同様な処理が行われるので詳細な説明は繰り返さない。ステップＳ２０２の処理の後、ステップＳ２０２Ａの処理が行われる。
【０１８０】
ステップＳ２０２Ａでは、切替え必要時間決定処理が行われる。切替え必要時間決定処理では、制御部２０３が、処理対象のディスクコンテンツの種類に基づいて、切替え必要時間を決定する。制御部２０３は、コンテンツ情報を参照することで、ディスクコンテンツの種類を判別する。ここで、切替え必要時間は、所定のタイミングから、再生装置２００の状態が前述したコンテンツ送信可能状態になるまでに必要な時間である。当該所定のタイミングは、例えば、後述する時間指定切替え情報を示すコマンドを送信するタイミングである。
【０１８１】
例えば、処理対象のディスクコンテンツとしての映像データがＨ．２６４／ＡＶＣ規格のデータである場合は、当該ディスクコンテンツとしての映像データがＭＰＥＧ−２規格のデータである場合よりも切替え必要時間が長く必要となる。この理由は、Ｈ．２６４／ＡＶＣ規格のデータは、ＭＰＥＧ−２規格のデータより、復号時に多くの演算が必要とされるからである。
【０１８２】
制御部２０３は、予め、ディスクコンテンツの種類に対応した切替え必要時間が予め定義されたテーブル（以下、種類対応テーブルという）を記憶しているとする。
【０１８３】
種類対応テーブルには、例えば、ディスクコンテンツとしての映像データがＨ．２６４／ＡＶＣ規格のデータである場合、切替え必要時間は、例えば、２００ミリ秒と定義されている。種類対応テーブルには、例えば、ディスクコンテンツとしての映像データがＭＰＥＧ−２規格のデータである場合、切替え必要時間は、例えば、１５０ミリ秒と定義されている。この場合、種類対応テーブルには、ディスクコンテンツの種類としてのＨ．２６４／ＡＶＣと、２００ミリ秒とが対応付けて示される。また、種類対応テーブルには、ディスクコンテンツの種類としてのＭＰＥＧ−２と、１５０ミリ秒とが対応付けて示される。
【０１８４】
例えば、処理対象のディスクコンテンツがＨ．２６４／ＡＶＣ規格のデータである場合、制御部２０３は、種類対応テーブルを参照して、切替え必要時間を、２００ミリ秒に決定する。すなわち、ディスクコンテンツの種類に基づいて、切替え必要時間を決定する。
【０１８５】
そして、制御部２０３は、決定された切替え必要時間を示す時間指定切替え情報を示すコマンドＣ１１を、ＡＶケーブル３００のコマンド伝送ライン３０１を介して、表示装置１００の制御部１０５へ送信する（Ｓ２０２Ｂ）。この場合、コマンドＣ１１は、表示装置１００がコマンドＣ１１を受信してから少なくとも切替え必要時間の経過後に表示装置１００の動作状態を第１状態に設定するための切替え指示である。そして、処理はステップＳ２０３に移行する。
【０１８６】
制御部１０５が、時間指定切替え情報を示すコマンドＣ１１を受信すると、表示装置１００では、ステップＳ３０１の処理が行われる。
【０１８７】
ステップＳ３０１では、制御部１０５が、コマンドＣ１１を受信してから少なくとも切替え必要時間（例えば、１５０ミリ秒）が経過するまで待機する。当該切替え必要時間は、受信したコマンドＣ１１が示す時間指定切替え情報が示す切替え必要時間である。切替え必要時間が経過したか否かの判定は、例えば、時間を測定するためのタイマーを利用する。
【０１８８】
タイマーにより測定される時間が、コマンドＣ１１を受信してから少なくとも切替え必要時間が経過するまでの時間（例えば、１５０ミリ秒）を越えると、制御部１０５は、ステップＳ１０２の処理を行う。なお、時間の測定方法は、前述のタイマーに限定されず、他の方法であってもよい。
【０１８９】
ステップＳ１０２の切替え処理では、第１の実施の形態で説明したのと同様な処理が行われるので詳細な説明は繰り返さない。この処理により、入力ソース選択部１０８は、映像処理部１０３および音声処理部１０４の少なくとも一方へ送信するコンテンツを、放送コンテンツから処理済コンテンツに切替える。すなわち、入力ソース選択部１０８は、表示装置１００の動作状態を、第２状態から第１状態に設定する（切替える）。
【０１９０】
ステップＳ１０３では、第１の実施の形態で説明したのと同様な処理が行われるので詳細な説明は繰り返さない。この処理により、切替え完了情報を示すコマンドＣ４が、ＡＶケーブル３００のコマンド伝送ライン３０１を介して、再生装置２００の制御部２０３へ送信される。なお、切替え完了情報を示すコマンドＣ４が再生装置２００へ送信されるタイミングは、再生装置２００の状態が前述したコンテンツ送信可能状態になった後である。
【０１９１】
再生装置２００では、ステップＳ２０２Ｂの処理の後、ステップＳ２０３の処理が行われる。
【０１９２】
そして、ステップＳ２０３，Ｓ２０４，Ｓ２０４Ｎの処理が順に行われる。ステップＳ２０３，Ｓ２０４，Ｓ２０４Ｎの処理は、第１の実施の形態で説明したのと同様な処理が行われるので詳細な説明は繰り返さない。ステップＳ２０４Ｎのコンテンツ処理が行われることにより、再生装置２００の状態は、処理済コンテンツの少なくとも一部を表示装置１００へ送信可能な状態（コンテンツ送信可能状態）になる。
【０１９３】
そして、映像・音声処理部２０４は、処理済コンテンツを一時的に保持し、送信部２０５へ送信しないようにする。すなわち、映像・音声処理部２０４は、再生ストリームとしての処理済コンテンツの送信を禁止した状態に設定する。これにより、再生装置２００の状態は、処理済コンテンツの送信が一時停止された状態（以下、再生一時停止状態という）になる（Ｓ２０６）。
【０１９４】
そして、制御部２０３は、切替え完了情報を示すコマンドＣ４を受信するまで待機する。制御部２０３が、制御部１０５から、切替え完了情報を示すコマンドＣ４を受信すると、再生装置２００では、ステップＳ２０７の処理が行われる。
【０１９５】
ステップＳ２０７のコンテンツ送信処理は、第１の実施の形態で説明したのと同様な処理が行われるので詳細な説明は繰り返さない。この処理により、処理済コンテンツが、ＡＶケーブル３００のＡＶデータ伝送ライン３０２を介して、表示装置１００へ送信される。
【０１９６】
表示装置１００では、ステップＳ１０４の処理が行われる。
ステップＳ１０４のコンテンツ出力処理では、第１の実施の形態で説明したのと同様な処理が行われるので詳細な説明は繰り返さない。この処理により、例えば、映像表示部１０１は、受信した処理済映像データに基づく映像を表示する。すなわち、映像表示部１０１は、受信した処理済映像データに基づく映像を表示することにより、コンテンツとしての当該処理済映像データを出力する。なお、処理済コンテンツに処理済映像データが含まれない場合、処理済映像データは出力されない。
【０１９７】
また、例えば、スピーカ駆動部１０２は、内蔵スピーカ１１１から、当該処理済音声データに基づく音声を出力させる。すなわち、内蔵スピーカ１１１は、コンテンツとしての処理済音声データに基づく音声を出力する。なお、処理済コンテンツに処理済音声データが含まれない場合、処理済音声データに基づく音声は出力されない。
【０１９８】
すなわち、表示装置１００は、コンテンツを出力するコンテンツ出力装置である。
以上説明したように、本実施の形態では、再生装置２００が、表示装置１００の動作状態を、処理済コンテンツを出力可能な状態に設定した後、再生装置２００は、ディスクコンテンツとしての処理済コンテンツを表示装置１００へ送信する。
【０１９９】
したがって、表示装置１００が、処理済コンテンツとは異なるユーザが意図しないコンテンツを出力することを防止することができる。すなわち、意図されないコンテンツが出力されることを防ぐことができる。
【０２００】
また、ユーザは、ディスクコンテンツが表示装置１００に送信される直前まで、チューナ１０７から送信される放送コンテンツを視聴することができる。
【０２０１】
その結果、ユーザの期待しない映像や音声が表示装置１００から出力されている状態で、ディスクコンテンツが表示装置１００から出力されるまで待つといったユーザのストレスが軽減される。
【０２０２】
また、本実施の形態では、表示装置１００において行われる切替え処理と、再生装置２００の状態を、前述したコンテンツ送信可能状態にするための処理とが並行して行うことが可能となる。したがって、ディスクコンテンツが出力されるまでの時間を短縮することができる。その結果、ユーザの期待しない映像や音声が表示装置１００から出力されている状態で、ディスクコンテンツが表示装置１００から出力されるまで待つといったユーザのストレスが軽減される。
【０２０３】
また、再生装置２００において切替え必要時間が決定され、再生装置２００が、予め、切替え必要時間を表示装置１００へ送信することにより、表示装置１００において再生装置２００側の映像・音声の出力タイミングに合わせて、入力切り替えをすることが可能になる。
【０２０４】
例えば、再生装置２００において切替え必要時間が決定され、再生装置２００が、予め、切替え必要時間を表示装置１００へ送信することにより、表示装置１００の意図したタイミングで入力切り替えが可能となる。すなわち、表示装置１００主導で入力切り替えが可能となる。
【０２０５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０２０６】
本発明は、意図されないコンテンツが出力されることを防ぐことを可能とする再生システムとして、利用することができる。
【符号の説明】
【０２０７】
１００  表示装置
１０１  映像表示部
１０５  制御部
１０６  受信部
１０８  入力ソース選択部
１１０  ユーザ通知部
１１１  内蔵スピーカ
２００  再生装置
２０２  光ディスク制御部
２０３  制御部
２０４  映像・音声処理部
２０５  送信部
２０６  再生内容判別部
２０７  映像・音声判定部
３００  ＡＶケーブル
１０００  再生システム
【図１】
2010288094.tif 000003
【図２】
2010288094.tif 000004
【図３】
2010288094.tif 000005
【図４】
2010288094.tif 000006